(57)【要約】【課題】設定／変更が容易な多機能表示設定装置を提供する。【解決手段】本発明に係る多機能表示設定装置は、複数の機能情報を表示するとともに、これら機能に対する動作を設定することが可能な装置であって、少なくとも、前記機能についての情報を表示する表示部１と、前記機能に対する動作設定を入力する操作部２と、操作部２に対する指示入力に従って、表示部１が表示する情報を切り替え制御する制御手段３とを備え、操作部１は前記機能の設定／変更を指示する手段６を備える。【選択図】図１
2004258696.tif 000002
【特許請求の範囲】
【請求項１】
複数の機能情報を表示するとともに、これら機能に対する動作を設定することが可能な多機能表示設定装置であって、少なくとも、前記機能についての情報を表示する表示部と、前記機能に対する動作設定を入力する操作部と、操作部に対する指示入力に従って、表示部が表示する情報を切り替え制御する制御手段とを備え、操作部は機能の設定／変更を指示する手段を備えることを特徴とする多機能表示設定装置。
【請求項２】
請求項１に記載の多機能表示設定装置であって、
前記設定／変更指示手段から設定／変更の指示入力が入力された場合に、制御手段は設定／変更の対象となる機能の一覧を表示部に表示させることを特徴とする多機能表示設定装置。
【請求項３】
請求項２に記載の多機能表示設定装置であって、
操作部は設定／変更の対象となる機能の一覧が表示部に表示されたときに、前記設定／変更の対象となる機能一覧をページ送りするための手段をさらに備えることを特徴とする多機能表示設定装置。
【発明の詳細な説明】
【０００１】
【発明の属する技術分野】
この発明は複数の機能情報を表示するとともに、これら機能に対する動作を設定することが可能な多機能表示設定装置に関し、詳しくは機能の設定／変更方法の容易化に関するものである。
【０００２】
【従来の技術】
近年、複写機やファクシミリ装置に代表されるいわゆるＯＡ機器の多機能化や、高性能化が著しく進んでおり、これに伴って装置の機能設定の項目、内容も増大する一方である。また機器の低価格化も進み、これらの機器が家庭用用途あるいは個人用途としても普及しつつある。
【０００３】
このような現状に鑑み、装置の機能設定の項目、内容の増大に対処して、機器の機能の設定方法を容易にし、家庭や個人ユーザーなどの装置について不慣れな使用者でも、意図どおりに機器を設定できるようにすることは、今日の装置開発の重要な課題の一つである。
【０００４】
ここに述べた装置の設定方法の容易化を意図した従来技術として、例えば特開平８−１３０５９７の「多機能表示設定装置」の発明を挙げることができる（特許文献１参照）。
【０００５】
この発明の要点は、該装置の機能に関する情報を表示する表示部、該装置に指示を入力するための操作部、及び各機能の設定状況を順次、前記表示部に表示する制御手段を備えてなり、使用者は各機能の設定状況を表示するように指示を入力したあと、表示部の表示内容を逐次見守り、所望の機能項目が表示されたときに、操作部より機能選択の指示を入力して、その機能に対する設定を行うというものである。
【０００６】
【特許文献１】
特開平８−１３０５９７号公報
【０００７】
【発明が解決しようとする課題】
しかし、この発明にあっては、使用者が設定状況を表示するように指示したあと、表示部の表示内容を逐次見守り所望の機能項目が表示されたときに再び機能選択の指示をしなければならないので、設定を行うまでに手数がかかり、さらに所望の設定変更が表示されるまで順番を待つ必要があるという問題がある。
【０００８】
本発明はこの問題点の解消したもので、その目的は、設定／変更が容易な多機能表示設定装置を提供することにある。
【０００９】
【課題を解決するための手段】
本発明に係る多機能表示設定装置は、複数の機能情報を表示するとともに、これら機能に対する動作を設定することが可能な多機能表示設定装置であって、少なくとも、前記機能についての情報を表示する表示部と、前記機能に対する動作設定を入力する操作部と、操作部に対する指示入力に従って、表示部が表示する情報を切り替え制御する制御手段とを備え、操作部は前記機能の設定／変更を指示する手段を備えるものである。
【００１０】
本発明に係る他の多機能表示設定装置は、前記設定／変更指示手段から設定／変更の指示入力が入力された場合に、制御手段は設定／変更の対象となる機能の一覧を表示部に表示させるものである。
【００１１】
本発明に係る他の多機能表示設定装置は、操作部は設定／変更の対象となる機能の一覧が表示部に表示されたときに、設定／変更の対象となる機能一覧をページ送りするための手段をさらに備えるものである。
【００１２】
【発明の実施の形態】
以下、本発明に係る多機能表示設定装置について、図面を参照しながら説明する。
【００１３】
図１は、第１の実施形態である多機能表示設定装置の要部構成を示す図である。図中、１は機能情報を表示する液晶表示部、２は設定／変更の指示を入力する操作部であって、その上面に操作用の押下キーを複数個備えている。３は装置使用者の操作部２に対する指示入力に従って液晶表示部１が表示する情報を切り替える制御手段である。４、５は操作部２の上面に設けられた数値キーやカーソル操作キーで、これらのキー４、５を押下することによって、使用者は指示を入力する。６は設定／変更モードへの移行の指示を入力するための設定／変更用キーであり、この設定／変更用キー６が設定／変更指示手段を構成する。
【００１４】
図２は、この例の多機能表示設定装置における設定／変更の処理手順を表すフローチャート図である。以下、この図に従って多機能表示設定装置の機能の設定／変更手順を説明する。
【００１５】
図２のスタートの時点では、まだ多機能表示設定装置は待機モードを保っている。次に使用者によって設定／変更キー６が押下されると、これにより、多機能表示設定装置は即座に設定／変更モードに移行し、液晶表示部１は制御手段３によって表示内容を待機モードのものから機能選択のための画面へ切り替わる（図２の１０１、１０２）。
【００１６】
図３はこの機能選択画面の表示例である。この例では、使用者に操作を促す「設定／変更を行う機能を以下の中から選んでください」というメッセージと、設定可能な機能の一覧（ワンタッチ登録、短縮登録、ファクシミリ設定等）が表示される。
【００１７】
多機能表示設定装置は機能選択画面を表示したあと、使用者の機能選択入力があるまで待機する（図２の１０３）。そして、使用者はこの画面を見ながら、数値キー４あるいはカーソル操作キー５の操作によって機能選択を行うと、多機能表示設定装置は選択された機能の設定／変更モードに移行する（図２の１０４）。このあと使用者は所望の機能の設定／変更（例えばワンタッチ登録など）を行うことができる。なお、カーソル操作キー５で機能選択する場合は、設定／変更キーの再操作またはリターンキー（不図示）の押下により選択確定する。
【００１８】
また、機能を予めワンタッチキー（不図示）に割り付けておいてもよい。そうすれば、さらに簡単に設定／変更操作を行える。なお、ワンタッチキーによる機能選択は設定／変更モードでのみ有効としてもよい。そうすれば、各ワンタッチキーを待機モードと設定／変更モードの２通りに使用することができる。
【００１９】
多機能表示設定装置は、使用者が機能の設定／変更操作をしている間、その操作終了まで待機しており、操作が終了すると設定／変更モードから再び、待機モードへと移行して一連の操作／変更処理が終了する（図２の１０５）。
【００２０】
本発明は以上のように構成されているので、待機モードから直接、機能設定／変更モードへ移行することができる。さらに機能設定／変更モードへ移行したときに設定／変更の対象となる機能の一覧が表示部に表示されるので、使用者は所望する設定／変更対象の機能項目が表示されるまで待つ必要がなくなるという効果がある。
【００２１】
次に本発明の第２の実施形態を説明する。
【００２２】
図４はその構成を示す図面である。図中、１は機能情報を表示する液晶表示部、２は設定／変更の指示を入力する操作部であって、上面に操作用の押下キー３を複数個備えている。３は装置使用者の操作部２に対する指示入力に従って液晶表示部１が表示する情報を切り替える制御手段である。４、５は操作部２の上面に設けられた数値キーやカーソル操作キーで、これらのキー４、５を押下することによって、使用者は指示を入力する。６は設定／変更モードへの移行の指示を入力するための設定／変更用キーである。
【００２３】
図１の例では、設定／変更用キー６が押下されたときに設定／変更の対象となる機能の一覧が全て表示部１に表示されたが、本実施例では、さらにこの一覧をページ送りするたのページ送りキー７が操作部２の上面に設けられている。
【００２４】
ここでは機能の一覧は２ページにわたるとして、その動作を図５に示すフローチャートで説明する。
【００２５】
スタート時点では装置は待機モードを保っている。次に設定／変更キー６が押下される（図５の２０１）。これにより多機能表示設定装置は設定変更モードに移行し、液晶表示部１は制御手段３によって、表示内容を待機モードのものから第一の機能選択画面に切り替える（図５の２０２）。
【００２６】
図６はこの第一の機能選択画面の表示例である。この例では使用者に操作を促す「設定／変更を行う機能を以下の中から選んでください」というメッセージと、選びうる機能の一覧（ワンタッチ登録、短縮登録、ＴＴＩ（名称・番号））が表示され、さらに機能一覧の１ページ目であることから「ページ１」というメッセージも表示される。
【００２７】
多機能表示設定装置は、前記の機能選択画面を表示したあと、使用者の指示を待つ（図５の２０３、２０４）。このとき使用者がページ送りキー７を押下すると、制御手段３によって液晶表示部１の表示が第二の機能選択画面に切り替わる（図５の２０３、２０７）。
【００２８】
図７はこの第二の機能選択画面の表示例である。ここではさらに、機能一覧の２ページ目であることから「ページ２」というメッセージも表示される。
【００２９】
この後再び、多機能表示設定装置は使用者の指示を待つ（図５の２０８、２０９）。このとき使用者が再びページ送りキー７を押下すると、制御手段３によって、液晶表示部１の表示が第一の機能選択画面に再び切り替わる（図５の２０２）。
【００３０】
また、多機能表示設定装置の液晶表示部１が第一の機能選択画面を表示している場合であっても、あるいは第二の機能選択画面を表示している場合であっても、使用者が機能選択を数値キー４あるいはカーソル操作キー５の押下操作によって入力指示すれば、多機能表示設定装置は選択された機能の設定／変更が可能となる（図５の２０４、２０５、２０９）。
【００３１】
このあと、設定／変更操作が終了するまで、多機能表示設定装置は入力指示を待ち、入力指示が終了すれば再び待機モードに移行する（図５の２０６）。
【００３２】
以上のように、この発明によれば設定／変更の対象となる機能一覧をページ送りすることができるので、機能数が非常に多数であっても使用者は容易に所望の機能を選択して設定／変更を行うことができる。
【００３３】
また、図４の例で示した多機能表示装置の構成では設定／変更キー６とページ送りキー５が個別に構成されているが、これを共通にすることは発明の容易な変形である。同様に、数値キー４とページ送りキー７とを、数値キー４とカーソル操作キー５とを、設定／変更キー６とカーソル操作キー５とを、それぞれ共通化してもよい。
【００３４】
さらに、上記の例では機能の選択を数値キー４あるいはカーソル操作キー５の押下操作によって入力指示しているが、これを液晶表示部１の上面にタッチパネルを設置して、これにより選択するようにすることも可能である。
【００３５】
【発明の効果】
以上の説明からも理解できるように、請求項１に記載の多機能表示設定装置は、機能の設定／変更を指示する設定／変更キーなどの指示手段を備えているので、待機状態から直接、設定／変更モードへ移行できる。
【００３６】
請求項２では、モードを移行した際には機能を一覧表示しているので、画面を順次切り替える必要がなく、その結果、設定／変更操作がより迅速に行える。
【００３７】
請求項３では、機能一覧をページ送りするための手段をさらに備えているので、機能数が多数であっても使用者は容易に所望の機能を選択して設定／変更を行うことができる。
【図面の簡単な説明】
【図１】本発明の多機能表示設定装置の構成の一例を示すブロック図
【図２】図１例の設定／変更の処理手順を表すフローチャート図
【図３】図１例の機能選択画面の表示内容を示す図
【図４】本発明の多機能表示設定装置の構成の他例を示すブロック図
【図５】図４例の設定／変更の処理手順を表すフローチャート図
【図６】図４例の第一の機能選択画面の表示内容を示す図
【図７】図４例の第二の機能選択画面の表示内容を示す図
【符号の説明】
１  液晶表示部
２  操作部
３  制御手段
４  数値キー
５  カーソル移動キー
６  設定／変更用キー（設定／変更指示手段）
７  ページ送りキー
【図１】
2004258696.tif 000003
【図２】
2004258696.tif 000004
【図３】
2004258696.tif 000005
【図４】
2004258696.tif 000006
【図５】
2004258696.tif 000007
【図６】
2004258696.tif 000008
【図７】
2004258696.tif 000009